(57)【特許請求の範囲】
【請求項１】
プラットホームの床板を支えている既存の支持部材のうち、所望する間隔に配設されている一対の支持部材の一部を露出させるように貫通穴を形成する工程と、
前記貫通穴に内接する枠体に回動可能に軸支された蓋体が前記枠体の開口を閉じた状態で、その枠体を前記一対の支持部材上に載せるように前記貫通穴に取り付ける工程と、
前記蓋体を回動させて前記枠体の開口を開く工程と、
前記枠体の開口を囲うように、前記枠体の上面に柵体を取り付ける工程と、
を有することを特徴とするプラットホーム昇降用設備の設置方法。
【請求項２】
前記枠体の開口を開いた状態の前記蓋体を立設させることで、前記柵体の一部として機能させることを特徴とする請求項１に記載のプラットホーム昇降用設備の設置方法。
【請求項３】
前記枠体の開口を開いた状態の前記蓋体が、その開口を閉じる方向に倒れることを防止するストッパーを対向する柵体に架け渡して取り付けることを特徴とする請求項１又は２に記載のプラットホーム昇降用設備の設置方法。
【請求項４】
前記蓋体を回動させる際に掴む把持部を前記蓋体の上面に着脱可能に取り付けており、前記蓋体で前記枠体の開口を閉じた状態では前記把持部を外していることを特徴とする請求項１〜３の何れか一項に記載のプラットホーム昇降用設備の設置方法。
【請求項５】
前記枠体の開口を閉じた状態の前記蓋体を、前記プラットホームの床板の一部として機能させることを特徴とする請求項１〜４の何れか一項に記載のプラットホーム昇降用設備の設置方法。
【発明の詳細な説明】
【技術分野】
【０００１】
本発明は、プラットホーム昇降用設備の設置方法に関する。
【背景技術】
【０００２】
従来、プラットホーム下の空間で改修工事を行うような場合に、プラットホームの床板に開口を設けて作業員用の昇降口を仮設することがある。
その昇降口から通行人が転落してしまわないように、また工事関係者以外が誤進入しないようにする必要があるので、昇降口を覆うようにプラットホーム上に設置する「安全ボックス」と称される構造物が知られている（例えば、非特許文献１参照。）。
【先行技術文献】
【非特許文献】
【０００３】
【非特許文献１】ジャパンスチールスインターナショナル株式会社ホームページ、［平成２７年１月９日検索］、インターネット＜ＵＲＬ：http://www.japansteels.co.jp/seihinitiran/kou/PDF/sl-box.pdf＞
【発明の概要】
【発明が解決しようとする課題】
【０００４】
しかしながら、上記非特許文献１の安全ボックスは、２４時間体制の工事を行うときは有効に活用されるが、例えば工事期間中に夜間工事のみが行われるような場合では、昼間でもプラットホーム上に設置されている安全ボックスは、乗降客や通行人の流れを阻害する障害物となってしまうことがあった。
【０００５】
本発明の目的は、プラットホーム上で平坦な形体に変形が可能なプラットホーム昇降用設備を容易に設置することができるプラットホーム昇降用設備の設置方法を提供することである。
【課題を解決するための手段】
【０００６】
上記目的を達成するため、この発明はプラットホーム昇降用設備の設置方法であって、
プラットホームの床板を支えている既存の支持部材のうち、所望する間隔に配設されている一対の支持部材の一部を露出させるように貫通穴を形成する工程と、
前記貫通穴に内接する枠体に回動可能に軸支された蓋体が前記枠体の開口を閉じた状態で、その枠体を前記一対の支持部材上に載せるように前記貫通穴に取り付ける工程と、
前記蓋体を回動させて前記枠体の開口を開く工程と、
前記枠体の開口を囲うように、前記枠体の上面に柵体を取り付ける工程と、
を有するようにした。
【０００７】
かかる構成のプラットホーム昇降用設備の設置方法であれば、プラットホームの床板を支えている既存の支持部材のうち一対の支持部材の一部を露出させるように床板に貫通穴を形成し、蓋体と一体になった枠体を一対の支持部材上に載せるように貫通穴に取り付けた後、蓋体を回動させて枠体の開口を開いて、その開口を囲うように枠体の上面に柵体を取り付ける施工を行うことで、プラットホーム昇降用設備を容易に設置できる。
このように設置したプラットホーム昇降用設備であれば、枠体から立設させた蓋体と、枠体の上面に取り付けた柵体とによって枠体の開口を囲っているので、その開口を通じてプラットホーム下の作業空間に工事関係者以外が誤進入しないようにすることができる。
特に、枠体に回動可能に軸支された蓋体が枠体の開口を閉じた状態で床板の貫通穴に取り付けられた構造をとっていれば、プラットホーム下の作業空間に工事関係者以外が誤進入しないようにすることができるのは勿論のこと、蓋体がプラットホーム上の通行人の流れを妨げることがない。
つまり、このように設置したプラットホーム昇降用設備であれば、プラットホーム昇降用設備から柵体を取り外し、枠体の開口を閉じるように蓋体を回動させるようにすれば、プラットホーム上で平坦な形体になる変形を行うことができ、プラットホーム上の通行人の流れを妨げない構造にすることができる。
【０００８】
また、望ましくは、
前記枠体の開口を開いた状態の前記蓋体を立設させることで、前記柵体の一部として機能させるようにした。
こうすることで、枠体の開口の周囲の一部を柵体として機能させた蓋体で囲うことができ、その開口の全周を柵体で囲う必要がないので、その分の柵体を削減することができる。
【０００９】
また、望ましくは、
前記枠体の開口を開いた状態の前記蓋体が、その開口を閉じる方向に倒れることを防止するストッパーを対向する柵体に架け渡して取り付けるようにした。
こうすることで、蓋体を閉蓋する方向に倒すような強風などが作用しても、蓋体はストッパーによって回動が規制されるので、蓋体が急に閉じてしまうようなことはない。
また、ストッパーが柵体に固定されていることは、目視により容易に確認できるので、蓋体が急に倒れないという安心感を持って工事関係者はプラットホーム下の作業空間に出入りすることができる。
【００１０】
また、望ましくは、
前記蓋体を回動させる際に掴む把持部を前記蓋体の上面に着脱可能に取り付けており、前記蓋体で前記枠体の開口を閉じた状態では前記把持部を外しているようにした。
こうすることで、蓋体の上面に取り付けた把持部を掴んで蓋体を容易に回動させることが可能になるとともに、枠体の開口を閉じるように蓋体を回動させた後に把持部を取り外せば、把持部をプラットホーム上の突起物のように残してしまうことなく、より平坦な形体に変形することができる。
【００１１】
また、望ましくは、
前記枠体の開口を閉じた状態の前記蓋体を、前記プラットホームの床板の一部として機能させるようにした。
こうすることで、枠体の開口を閉じた状態の蓋体の上を通行することが可能になる。
【発明の効果】
【００１２】
本発明によれば、プラットホーム上で平坦な形体に変形が可能なプラットホーム昇降用設備を容易に設置することができる。
【図面の簡単な説明】
【００１３】
【図１】本実施形態のプラットホーム昇降用設備を示す上面図（ａ）と、その側面図（ｂ）と、その正面図（ｃ）である。
【図２】プラットホーム上で平坦な形体に変形したプラットホーム昇降用設備を示す上面図（ａ）と、その側面図（ｂ）である。
【図３】プラットホーム昇降用設備を設置するプラットホームに関する説明図（側面図）である。
【図４】プラットホームの床板に形成した貫通穴を示す上面図（ａ）と、その側面図（ｂ）である。
【図５】蓋体と一体になった枠体を貫通穴に取り付け、その枠体から蓋体を立設させた状態を示す上面図（ａ）と、その側面図（ｂ）である。
【図６】プラットホーム昇降用設備の変形例を示す側面図である。
【発明を実施するための形態】
【００１４】
以下、図面を参照して、本発明に係るプラットホーム昇降用設備の設置方法の実施形態について詳細に説明する。但し、以下に述べる実施形態には、本発明を実施するために技術的に好ましい種々の限定が付されているが、本発明の範囲を以下の実施形態及び図示例に限定するものではない。
本実施形態では、プラットホーム上に容易に設置でき、またプラットホーム上で平坦な形体に変形が可能なプラットホーム昇降用設備に関して説明する。
【００１５】
図１（ａ）はプラットホーム昇降用設備１００を示す上面図、図１（ｂ）はその側面図、図１（ｃ）はその正面図である。
本実施形態のプラットホーム昇降用設備１００は、図１に示すように、プラットホームの床板Ｐに形成された貫通穴Ｈに嵌め込まれた枠体１０と、枠体１０に回動可能に軸支されており、その枠体１０から垂直向きに立設されている蓋体２０と、枠体１０の開口１０ａを囲うように枠体１０の上面に取り付けられた柵体３０，３１等を備えて構成されている。また、図示はしないが、枠体１０の開口１０ａを通じてプラットホーム下の作業空間に降りたり、作業空間からプラットホームに上がったりするための階段が設置されている。
【００１６】
床板Ｐの貫通穴Ｈは、プラットホームの床板Ｐを支えている既存の支持部材であるホーム横桁の位置に応じて形成されている。このプラットホーム昇降用設備１００が設置された近傍には、大小３本のＨ形鋼である横桁（５０，５１，５２）があるが、図１（ａ）（ｂ）の図中、左側の大きな横桁５０の近くの小さな横桁５１と、右側の大きな横桁５２の間に貫通穴Ｈが形成されている。
そして、横桁５１と横桁５２の間に相当する位置にプラットホーム昇降用設備１００が設けられており、枠体１０は横桁５１と横桁５２とにより下支えされている。
【００１７】
枠体１０は、例えば４本のＨ形鋼を略矩形状に溶接して形成したフレーム状部材であり、プラットホームの床板Ｐに形成された貫通穴Ｈに内接するように嵌め込まれ、横桁５１と横桁５２の間に架け渡すように設けられている。
この枠体１０は、横桁５１と横桁５２に固定されている。例えば、枠体１０を横桁５１，５２に溶接によって固定してもよく、ボルト・ナットで固定してもよい。
【００１８】
蓋体２０は、例えば鋼板に鋼材や鋼棒を溶接するなどして補強したハッチ状（上げ蓋状）の部材であり、枠体１０における横桁５１に沿う箇所に回動可能に設けられている。
この蓋体２０は、枠体１０に対し垂直向きになって枠体１０の開口１０ａを開いた位置から、枠体１０に対し平行向きになって枠体１０の開口１０ａを閉じる位置までの範囲を回動可能になっている。
枠体１０の開口１０ａを開いた状態の蓋体２０は、柵体の一部として機能するようになっており、図１（ａ）（ｂ）の図中、左方からの進入防止を図る柵体となっている。
また、蓋体２０が枠体１０の開口１０ａを閉じた状態で、蓋体２０の上面はプラットホームの床板Ｐとほぼ面一となる（図２（ｂ）参照）。
【００１９】
また、蓋体２０の上面には、蓋体２０を回動させる際に掴む把持部２０ｂが着脱可能に取り付けられている。本実施形態ではアイボルトを把持部２０ｂとして用いており、蓋体２０の上面に形成されたボルト孔２０ａに螺着して取り付けることができる。
【００２０】
また、蓋体２０と枠体１０はガスダンパー２１を介して繋がれている。
ガスダンパー２１は、蓋体２０の長辺側に左右一対設けられている。ガスダンパー２１の一端は、蓋体２０の下面に固定されており、ガスダンパー２１の他端は、枠体１０の下面側に短いＨ形鋼が溶接されてなる突端部１１に固定されている。
このガスダンパー２１によって蓋体２０の回動速度を調整し、蓋体２０が勢いよく回動しないようになっている。またガスダンパー２１は、枠体１０から垂直向きに立設された蓋体２０の姿勢を維持するように支える機能を有している。
【００２１】
柵体３０，３１は、例えばステンレス材やアルミ材からなるフェンス状部材であり、枠体１０の開口１０ａを通じてプラットホーム下の作業空間に工事関係者以外が誤進入しないようにする防護柵である。
枠体１０の一方の長辺側上面に柵体３０がボルト・ナットで固定されており、枠体１０の他方の長辺側上面に柵体３１がボルト・ナットで固定されている。
また、柵体３０は蝶番を介して取り付けられた扉３２を有している。
この扉３２が柵体３０と垂直向きになって、柵体３０と柵体３１の間を塞ぐように閉じた状態では、図１（ａ）（ｂ）の図中、右方からの進入防止を図る柵体としての機能を有している。
また扉３２を回動させて開くことで、柵体３０と柵体３１の間を通ることが可能になり、枠体１０の開口１０ａを通じてプラットホーム下の作業空間に工事関係者が進入することが可能になる。
なお、扉３２の自由端部と柵体３１の端部を係合させ、扉３２が不用意に開かないようする係合機構を設けることが好ましい。さらに係合機構にロック機能を付与し、工事関係者のみがそのロックを解除できるようにすることが好ましい。
【００２２】
また、枠体１０に対し垂直向きになって開口１０ａを開いた状態の蓋体２０が、その開口１０ａを閉じる方向に倒れることを防止するストッパー３３が対向する柵体３０、柵体３１に架け渡されて取り付けられている。
ストッパー３３は、ステンレス材やアルミ材からなる棒状部材であり、その両端部がトグルピンによってそれぞれ柵体３０、柵体３１の所定位置に固定されている。
このストッパー３３が柵体３０、柵体３１に固定されていれば、垂直向きになっている蓋体２０を閉蓋する方向に倒すような強風などが作用しても、蓋体２０はストッパー３３によって回動が規制され、蓋体２０が急に閉じてしまうようなことはない。
また、ストッパー３３が柵体３０，３１に固定されていることは、目視により容易に確認できるので、蓋体２０が急に倒れないという安心感を持って工事関係者はプラットホーム下の作業空間に出入りすることができる。
なお、柵体３０，３１に架け渡して取り付けているストッパー３３に蓋体２０を立て掛けるような状態で蓋体２０を立設させて設置することもできる。
【００２３】
このようなプラットホーム昇降用設備１００であれば、立設させた蓋体２０と柵体３０，３１と扉３２とによって枠体１０の開口１０ａの四方を囲っているので、プラットホーム下の作業空間に工事関係者以外が誤進入しないようにすることができる。
また、回動可能な扉３２を開くことで、柵体３０と柵体３１の間を通ることが可能になるので、枠体１０の開口１０ａを通じてプラットホーム下の作業空間に工事関係者が進入することが可能になる。
【００２４】
ところで、プラットホーム下での作業が完了していないものの、例えば長期間に亘る休工日が設定された場合、プラットホーム上にプラットホーム昇降用設備１００を設置したままでは、プラットホーム昇降用設備１００は乗降客や通行人の流れを阻害する障害物となってしまう。
同様に、例えば１０時頃から１６時頃の日中にプラットホーム下での作業を行い、その時間外では作業は行わないという場合も、所定の作業時間外にプラットホーム上にプラットホーム昇降用設備１００を設置したままでは、プラットホーム昇降用設備１００は乗降客や通行人の流れを阻害する障害物となってしまう。
このような場合、プラットホーム昇降用設備１００を一時的に撤去するように変形することができる。
【００２５】
図１に示したプラットホーム昇降用設備１００を一時的に撤去するように変形する場合、例えば、まずストッパー３３を柵体３０，３１から取り外す。
また、ボルト・ナットで固定されている柵体３０（扉３２）および柵体３１を枠体１０から取り外す。
次いで、垂直向きに立設している蓋体２０を回動させて枠体１０に向けて倒し、その蓋体２０で枠体１０の開口１０ａを閉じる。
枠体１０の開口１０ａを閉じた後、蓋体２０から把持部２０ｂを取り外し、ボルト孔２０ａにフラットキャップ２０ｃを取り付ける。
図２（ａ）（ｂ）に示すように、蓋体２０を閉じて把持部２０ｂを取り外した状態では、蓋体２０の上面はプラットホームの床板Ｐとほぼ面一となっており、枠体１０の開口１０ａを閉じた状態の蓋体２０は、プラットホームの床板Ｐの一部として機能するようになっている。
【００２６】
こうしてプラットホーム昇降用設備１００の柵体３０，３１を取り外し、蓋体２０を回動させて枠体１０の開口１０ａを閉じて、蓋体２０から把持部２０ｂを取り外すようにすることで、プラットホーム上のプラットホーム昇降用設備１００を容易に平坦な形体に変形することができる。
こうすることで、プラットホーム下の作業空間に工事関係者以外が誤進入しないようにすることができるのは勿論のこと、プラットホーム上の通行人の流れを妨げることがなくなる。
【００２７】
そして、休工期間があける際、また所定の作業時間となる際には、再度、蓋体２０を垂直向きに立設させ、柵体３０，３１やストッパー３３を取り付ければ、速やかにプラットホーム昇降用設備１００を組み立てることができる。
特に、ボルト孔２０ａにフラットキャップ２０ｃを取り付けておくことで、ボルト孔２０ａ内に砂塵などが溜まってしまわないようにしているため、フラットキャップ２０ｃを取り外した後、直ぐにボルト孔２０ａに把持部２０ｂを螺着することができるので、プラットホーム昇降用設備１００の再組み立てをスムーズに行うことができる。
【００２８】
次に、本実施形態のプラットホーム昇降用設備１００の設置方法について説明する。
【００２９】
まず、プラットホーム下の作業空間に対応する範囲で、その作業空間に出入りする作業員や、作業空間で使用する機材などが通過できる開口（１０ａ）をプラットホームの床板Ｐに形成可能な箇所を検討する。
具体的には、図３に示すプラットホームの下に作業空間がある場合、プラットホームの床板Ｐを支えている既存の横桁（５０，５１，５２）の位置を確認し、既存の横桁（５０，５１，５２）を避けて、所望するサイズの開口（１０ａ）を床板Ｐに形成できる箇所を検討する。
【００３０】
例えば、横桁５１と横桁５２の間隔が所望する好適な間隔であって、横桁５１と横桁５２の間であれば十分な広さの開口（１０ａ）が得られると判断できた場合、図４（ａ）（ｂ）に示すように、横桁５１と横桁５２の一部を露出させるように、プラットホームの床板Ｐに貫通穴Ｈを形成する。
【００３１】
次いで、床板Ｐに設けられた貫通穴Ｈに応じたサイズ・形状の枠体１０と、その枠体１０の開口１０ａを閉じることができるサイズ・形状の蓋体２０をそれぞれ形成し、その蓋体２０を枠体１０に回動可能に軸支して取り付ける。なお、枠体１０の下面側に突端部１１を配設し、その突端部１１と蓋体２０の下面との間を繋ぐガスダンパー２１の取り付けも行っている。
そして、床板Ｐの貫通穴Ｈに内接する枠体１０に回動可能に軸支された蓋体２０が枠体１０の開口１０ａを閉じた状態で、蓋体２０と一体になった枠体１０を貫通穴Ｈに取り付け、枠体１０を横桁５１と横桁５２に載せて固定する（図２（ａ）（ｂ）参照）。
【００３２】
次いで、図５（ａ）（ｂ）に示すように、蓋体２０のボルト孔２０ａに把持部２０ｂを取り付け、その把持部２０ｂを掴んで蓋体２０を引き起こすように回動させて鉛直姿勢に立設させ、枠体１０の開口１０ａを開く。
【００３３】
次いで、枠体１０の開口１０ａを囲うように、枠体１０の上面に柵体３０（扉３２）および柵体３１を取り付ける。
さらに、ストッパー３３を柵体３０と柵体３１に架け渡して所定位置に取り付ける。
また、プラットホーム下の作業空間へ昇降するための階段（図示省略）を横桁５２に取り付ける。
こうして、プラットホーム上にプラットホーム昇降用設備１００を設置し、その施工を終える（図１（ａ）（ｂ）（ｃ）参照）。
【００３４】
以上のように、本実施形態のプラットホーム昇降用設備の設置方法によれば、プラットホーム上にプラットホーム昇降用設備１００を容易に設置することができる。
特に、プラットホーム昇降用設備１００の柵体３０，３１を一時的に撤去するなどして、蓋体２０で枠体１０の開口１０ａを閉じるようにすれば、プラットホーム上のプラットホーム昇降用設備１００を容易に平坦な形体に変形することができる。
【００３５】
このように、本実施形態のプラットホーム昇降用設備の設置方法によってプラットホーム上に設置したプラットホーム昇降用設備１００であれば、立設させた蓋体２０と柵体３０，３１と扉３２とによって枠体１０の開口１０ａの四方を囲っているので、プラットホーム下の作業空間に工事関係者以外が誤進入しないようにすることができる。
また、蓋体２０で枠体１０の開口１０ａを閉じて、プラットホーム上のプラットホーム昇降用設備１００を平坦な形体に変形すれば、プラットホーム下の作業空間に工事関係者以外が誤進入しないようにすることができるのは勿論のこと、プラットホーム上の通行人の流れを妨げることがない。
【００３６】
なお、本発明は上記実施形態に限られるものではない。
例えば、図６に示すように、柵体３０，３１に架け渡して取り付けるストッパー３３を２本にし、立設させた蓋体２０を一方のストッパー３３に立て掛け、もう一方のストッパー３３を蓋体２０に接触させるように取り付けて、２本のストッパー３３で蓋体２０を挟むようにしてもよい。
このように、２本のストッパー３３を用いれば、ストッパー３３によって蓋体２０を柵体３０，３１に固定することができ、蓋体２０に強風などが作用しても動かないようにすることができる。
【００３７】
また、蓋体２０を回動させて枠体１０の開口１０ａを閉じた状態で、柵体３０，３１を取り外さずに設置しておく場合に、柵体３０，３１にストッパー３３を架け渡していれば、そのストッパー３３を柵体として機能させることもできる。
【００３８】
なお、上記実施形態において、１０時頃から１６時頃の所定の作業時間にプラットホーム上にプラットホーム昇降用設備１００を設置し、所定の作業時間外ではプラットホーム昇降用設備１００を平坦な形体に変形するとしたが、本発明はこれに限定されるものではない。
例えば、朝ラッシュ時の始発から１０時頃までの時間帯と、夜ラッシュ時の１６時頃から終電までの時間帯にプラットホーム昇降用設備１００を平坦な形体に変形し、それ以外の時間帯ではプラットホーム上にプラットホーム昇降用設備１００を設置するようにしてもよい。
このように乗降客の流動状況に合わせて、プラットホーム昇降用設備１００を平坦な形体に変形したり、プラットホーム上にプラットホーム昇降用設備１００を設置したりすることができる。
【００３９】
また、上記実施形態では、蓋体２０の上面に把持部２０ｂが着脱可能に取り付けられているとしたが、本発明はこれに限定されるものではなく、例えば、蓋体２０の上面に出没可能に取り付けられた把持部２０ｂであってもよい。具体的には、蓋体２０の上面をフラットな状態とするように、把持部２０ｂを蓋体２０に設けられている収容溝に収容しておき、蓋体２０を回動させる際に蓋体２０の収容溝から把持部２０ｂを引き出すようにして使用するようにしてもよい。
【００４０】
また、その他、具体的な細部構造等についても適宜に変更可能であることは勿論である。
【符号の説明】
【００４１】
１０    枠体
１０ａ  開口
１１    突端部
２０    蓋体
２０ａ  ボルト孔
２０ｂ  把持部
２０ｃ  フラットキャップ
２１    ガスダンパー
３０    柵体
３１    柵体
３２    扉
３３    ストッパー
５１    横桁（既設の支持部材）
５２    横桁（既設の支持部材）
１００  プラットホーム昇降用設備
Ｐ      床板
Ｈ      貫通穴
【図１】
0006402042.tif 000002
【図２】
0006402042.tif 000003
【図３】
0006402042.tif 000004
【図４】
0006402042.tif 000005
【図５】
0006402042.tif 000006
【図６】
0006402042.tif 000007